(57)【要約】【課題】消火栓装置又を監視員通路内に埋め込むようにして設置した場合においても、消火器の取り出しに支障が生ずることなく迅速な消火活動ができる消火栓装置及び消火器箱を得る。【解決手段】巻き回されたホースと、該ホースの先端に設けられるノズルと、前記ホースへの消火水の供給を制御する消火栓弁を操作するレバーと、を収納するホース収納部を備える本体部と、該本体部の上面を覆う天板部とを有する消火栓装置であって、前記天板部は、前記ホース収納部の上方に設けられた開口部と、該開口部を開閉可能に覆うホース収納部上方蓋部材を有し、前記ホース収納部は、前記レバー及び／又はノズルが上方に移動可能に構成されており、前記レバー及び／又はノズルを上方に移動させる駆動力を付与する駆動力付与手段を有していることを特徴とするものである。【選択図】  図１
2018126239.tif 000002
【特許請求の範囲】
【請求項１】
巻き回されたホースと、該ホースの先端に設けられるノズルと、前記ホースへの消火水の供給を制御する消火栓弁を操作するレバーと、を収納するホース収納部を備える本体部と、該本体部の上面を覆う天板部とを有する消火栓装置であって、
前記天板部は、前記ホース収納部の上方に設けられた開口部と、該開口部を開閉可能に覆うホース収納部上方蓋部材を有し、
前記ホース収納部は、
前記レバー及び／又はノズルが上方に移動可能に構成されており、
前記レバー及び／又はノズルを上方に移動させる駆動力を付与する駆動力付与手段を有していることを特徴とする消火栓装置。
【請求項２】
前記駆動力付与手段は、前記レバー及び／又はノズルを上動させる力を付与できるようになっており、
前記前記レバー及び／又はノズルの上動を開始させる上動開始手段とを備えていることを特徴とする請求項１記載の消火栓装置。
【発明の詳細な説明】
【技術分野】
【０００１】
本発明は、トンネル等に設置される消火栓装置及び消火器箱に関する。
【背景技術】
【０００２】
トンネル等に設置される消火栓装置は、例えば特許文献１に開示されたように、消火栓本体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監視員通路内に埋め込むことが考えられ、このような態様のものとして特許文献２に開示されたトンネル用消火栓装置がある。
【０００４】
特許文献２に開示のものは、「トンネル側壁の路肩に沿って所定の高さに構築された監視員通路を備えたトンネルに設置されるトンネル用消火栓装置に於いて、前記監視員通路の路面側の側壁を装置前面として監視員通路の下部の空間に本体を収納したことを特徴とするトンネル用消火栓装置。」（特許文献２の請求項１参照）である。
【先行技術文献】
【特許文献】
【０００５】
【特許文献１】特開２０１５−４４０３９号公報
【特許文献２】特開２００１−９０５３号公報
【発明の概要】
【発明が解決しようとする課題】
【０００６】
特許文献２に開示のものは、本体内に引き出し可能に設けたトレイにホースリールや消火器を収納し、前記トレイを前面側に引き出すようにしている。そのため、消火栓装置の前面側にはトレイを引き出すための空間が必要となる。
しかしながら、消火栓装置を監視員通路内に埋め込んだ場合、消火栓装置の前面側は、車道に近く、事故車等が消火栓装置の前面側にあることも考えられ、消火栓装置の前面にはほとんど空間がないことも考えられる。そのため、消火活動を迅速に行えないことが想定される。
【０００７】
なお、トンネル内に設置される消火用の機器を収納するものとして消火器を収納する消火器箱があるが、消火器箱についても上述の消火栓装置と同様の課題が存在する。
【０００８】
本発明はかかる課題を解決するためになされたものであり、消火栓装置又は消火器箱を監視員通路内に埋め込むようにして設置した場合においても、消火器の取り出しに支障が生ずることなく迅速な消火活動ができる消火栓装置及び消火器箱を得ることを目的としている。
【課題を解決するための手段】
【０００９】
（１）本発明に係る消火栓装置は、巻き回されたホースを収納するホース収納部と、消火器を収納する消火器収納部を有する本体部と、該本体部の上面を覆う天板部とを有するものであって、
前記天板部は、前記消火器収納部の上方に設けられた開口部と、該開口部を開閉可能に覆う消火器収納部上方蓋部材を有し、
前記消火器収納部は、
消火器を立てた状態で載置可能であり、かつ載置されている消火器の少なくとも上部が前記天板部の開口部から露出する状態にまで上方に移動可能に構成された消火器載置台と、該消火器載置台に対して上方に移動させる駆動力を付与する駆動力付与手段とを有していることを特徴とするものである。
【００１０】
（２）また、上記（１）に記載のものにおいて、前記駆動力付与手段は、収容可能な数の消火器を前記消火器載置台に載置した状態で、前記消火器載置台を上動させる力を付与できるようになっており、
前記消火器載置台の上動を開始させる上動開始手段とを備えていることを特徴とするものである。
【００１１】
（３）また、上記（１）又は（２）に記載のものにおいて、前記消火器載置台は、載置されている消火器が転倒するのを防止する転倒防止手段を備えたことを特徴とするものである。
【００１２】
（４）また、上記（１）乃至（３）のいずれかに記載のものにおいて、前記消火器載置台は、奥行き方向に複数本の消火器を並べて載置する載置部を有し、
前記転倒防止手段は、載置される消火器に設けられた係止部に係止するフックによって構成され、該フックは、各消火器をそのレバーが前記本体部の前面パネルに対して平面視で斜めになるように載置した状態で前記係止部に係止するようになっていることを特徴とするものである。
【００１３】
（５）また、上記（１）乃至（４）のいずれかに記載のものにおいて、前記消火器載置台は、奥行き方向に複数本の消火器を並べて載置する載置部を有し、該載置部は奥側の載置部が手前側の載置部よりも高くなるように段差が設けられていることを特徴とするものである。
【００１４】
（６）本発明に係る消火器箱は、消火器を収納する消火器収納部を有する本体部と、該本体部の上面を覆う天板部とを有するものであって、
前記天板部は、前記消火器収納部の上方に設けられた開口部と、該開口部を開閉可能に覆う消火器収納部上方蓋部材を有し、
前記消火器収納部は、
消火器を立てた状態で載置可能であり、かつ載置されている消火器の少なくとも上部が前記天板部の開口部から露出する状態にまで上方に移動可能に構成された消火器載置台と、該消火器載置台に対して上方に移動させる駆動力を付与する駆動力付与手段と、載置されている消火器が転倒するのを防止する転倒防止手段とを有していることを特徴とするものである。
【００１５】
（７）また、上記（６）に記載のものにおいて、前記駆動力付与手段は、収容可能な数の消火器を前記消火器載置台に載置した状態で、前記消火器載置台を上動させる力を付与できるようになっており、
前記消火器載置台の上動を開始させる上動開始手段とを備えていることを特徴とするものである。
【００１６】
（８）また、上記（６）又は（７）に記載のものにおいて、前記消火器載置台は、奥行き方向に複数本の消火器を並べて載置する載置部を有し、
前記転倒防止手段は、載置される消火器に設けられた係止部に係止するフックによって構成され、該フックは、各消火器をそのレバーが前記本体部の前面パネルに対して平面視で斜めになるように載置した状態で前記係止部に係止するようになっていることを特徴とするものである。
【００１７】
（９）また、上記（６）乃至（８）のいずれかに記載のものにおいて、前記消火器載置台は、奥行き方向に複数本の消火器を並べて載置する載置部を有し、該載置部は奥側の載置部が手前側の載置部よりも高くなるように段差が設けられていることを特徴とするものである。
【発明の効果】
【００１８】
本発明に係る消火栓装置は、巻き回されたホースを収納するホース収納部と、消火器を収納する消火器収納部を有する本体部と、該本体部の上面を覆う天板部とを有し、前記天板部は、前記消火器収納部の上方に設けられた開口部と、該開口部を開閉可能に覆う消火器収納部上方蓋部材を有し、前記消火器収納部は、消火器を立てた状態で載置可能であり、かつ載置されている消火器の少なくとも上部が前記天板部の開口部から露出する状態にまで上方に移動可能に構成された消火器載置台と、該消火器載置台に対して上方に移動させる駆動力を付与する駆動力付与手段とを有していることにより、消火栓装置又は消火器収納部を監視員通路内に埋め込むようにして設置した場合においても、消火器を天板部側からも容易に取り出すことができ迅速な消火活動ができる。
【図面の簡単な説明】
【００１９】
【図１】本発明の実施の形態に係る消火栓装置の正面図である。
【図２】図１に示した消火栓装置の内部構造を説明する正面図であり、本体部の前面の扉体を外した状態を示すと共に一部を拡大して斜め上方から見た状態を示している。なお、図２の拡大図においては図を見やすくするために一部の構成要素を削除している。
【図３】図１に示した消火栓装置において消火器載置台を上方に移動させた状態を示す斜視図である。
【図４】図１に示した消火栓装置の消火器収納部の拡大図である。
【図５】図１に示した消火栓装置の消火器収納部に設けられる消火器載置台及び駆動力付与手段の説明図である。
【図６】図１に示した消火栓装置の消火器収納部に設けられる消火器載置台の説明図である。
【図７】図１に示した消火栓装置の消火器載置台に消火器を載置した状態の平面図である。
【図８】本発明の駆動力付与手段の他の態様の説明図である（その１）。
【図９】本発明の駆動力付与手段の他の態様の説明図である（その２）。
【図１０】本発明の駆動力付与手段の他の態様の説明図である（その３）。
【図１１】本発明の実施の形態に係る消火栓装置が設置される、監視員通路に設けられた設置用空間の説明図である。
【発明を実施するための形態】
【００２０】
本実施の形態に係る消火栓装置１は、その設置場所が特に限定されるわけではないが、トンネル内の車道の路肩に構築された監視員通路に設けられた設置用空間内に設置する場合に好適である。
そこで、消火栓装置１が設置される監視員通路８３の設置用空間８７について図１１に基づいて説明する。
図１１は、トンネルの路肩の監視員通路８３の一部を示したものであり、図中、８１はトンネル壁面、８３は監視員通路、８５は車道である。
【００２１】
設置用空間８７は、図１１に示すように、監視員通路８３の前壁８９から監視員通路８３の幅方向に切り欠くように設けられ、監視員通路８３を車道幅方向に切断した断面では設置用空間８７を形成する壁がＬ字形状になっている。このような設置用空間８７が設けられることで、監視員通路８３の路面には開口部が形成される。そして、該開口部の開口縁部９１は、後述する消火栓装置１の天板部１３の張出し部５３が載置される３辺の部分が一段低くなった段部になっている。
【００２２】
なお、本明細書において使用する方向を示す用語に関し、例えば消火栓装置１を図１１に示す監視員通路８３の設置用空間８７に設置した場合を例に挙げると、「奥行き方向」とは、設置されている消火栓装置１の車道幅方向である（図１１参照）。したがって、奥行き方向の手前側とは、設置されている消火栓装置１の車道側をいう。
【００２３】
次に、本実施の形態の消火栓装置１を図１〜図７に基づいて説明する。
消火栓装置１は、ホース３を収納するホース収納部５と、消火器７を収納する消火器収納部９を有する本体部１１と、本体部１１の上面を覆う天板部１３とを有している。
以下、消火栓装置１を構成する各部について詳細に説明する。
【００２４】
＜本体部＞
本体部１１の内部には、上述したように、内巻きに巻き回されたホース３を収納するホース収納部５および消火器７を収納する消火器収納部９が設けられている（図２参照）。
また、ホース収納部５の前面側の近傍で、かつ上部側には、ホース３の先端に設けられた消火ノズル１５を所定の位置に保持するためのノズルホルダ１７が設けられている（図２参照）。
【００２５】
本体部１１の前面には前面パネル１８が設けられ、前面パネル１８におけるホース収納部５の前面には、図１、図３に示すように、下降式の前面扉１９が設けられている。
また、前面パネル１８における消火器収納部９の前面には横開き式の消火器収納部前面扉２１が設けられている。
【００２６】
前面扉１９を開扉することで、ノズルホルダ１７に保持されている消火ノズル１５を取り外してホース３を引き出すことが可能になっている。
また、消火器収納部前面扉２１を開扉することで、内部に載置されている消火器７を前面側から取り出すことが可能になっている。
【００２７】
≪消火器収納部≫
消火器収納部９は、消火器７を立てた状態で載置可能な消火器載置台２３と、収容可能な数の消火器７を載置した状態の消火器載置台２３を上方に移動させる駆動力を付与する駆動力付与手段２５とを有している（図４、５参照）。
【００２８】
《消火器載置台》
消火器載置台２３は、図５、図６に示すように、奥行き方向に複数本の消火器７を並べて載置する載置部２７と、載置部２７の側面から立ち上がるように設けられて上部に持ち手２８が設けられた側壁部２９と、側壁部２９に設けられて載置される消火器７の係止部３０に係止するフック３１と、載置部２７を挟んで側壁部２９の反対側に設けられ、消火器収納部９に立設されたガイド柱３３にガイドされるガイド部３５と、本体部１１側に設けられた係合部３６（図２参照）に係止可能で係止状態を解除可能に設けられたラッチ３７を備えている。
【００２９】
消火器載置台２３は、載置されている消火器７の少なくとも上部が天板部１３の開口部から露出する状態にまで上方に移動可能（図３参照）に構成されている。なお、消火器載置台２３が最も上方に移動する位置をどの位置にするかについては、載置されている消火器７を天板部１３からどの程度上方に露出させるかによって決めればよく、例えば消火器７の高さ方向の全体が露出するようにしてもよい。
【００３０】
〔載置部〕
載置部２７は、奥側の載置部２７が手前側の載置部２７よりも高くなるように段差が設けられている。これによって、奥行き方向に２本の消火器７を並べて収納しても、図１、図２に示すように、本体部１１の前面の消火器収納部前面扉２１を開けたときに、奥側の消火器７の上部が見えるので、奥側の消火器７の存在を容易に確認できる。
【００３１】
〔側壁部〕
側壁部２９は、図５、図６に示すように、垂直に立ち上がるように載置部２７の側面に設けられ、上部に持ち手２８を有している。持ち手２８は、側壁部２９の上辺部に設けられ、図５、図６に示すように、持ち手２８の握り部はコ字の開口を下側に向けた形状をしており、握り部の内側にはラッチ３７と連動してラッチ３７を操作するためのラッチ用操作レバー３９が設けられている。ラッチ用操作レバー３９とラッチ３７とは図示しないワイヤで連結され、ラッチ用操作レバー３９を握るとラッチ３７が動作して本体部１１の係合部３６（図２参照）との係止が外れるようになっている。
ラッチ用操作レバー３９とラッチ３７は、本発明の上動開始手段として機能する。
【００３２】
〔フック〕
フック３１は、側壁部２９における高さ方向の中ほどに設けられており、消火器７が転倒するのを防止する転倒防止手段として機能する。
消火器７を載置部２７に載置した状態で消火器７の係止部３０にフック３１を係止させることで、消火器７と側壁部２９とが連結されて消火器７が転倒するのを防止できる。このとき、消火器７は、図７に示すように、本体部１１の前面パネル１８に対して平面視で斜めになるように載置した状態で係止部３０に係止するようになっており、具体的には消火器７のレバー４１が正面に対して略４５°斜めになるようになっている。
換言すれば、消火器７の係止部３０にフック３１を係止させるように消火器７を載置部２７に載置すると、消火器７が例えば載置部２７の手前側の辺に対して４５°斜めの状態になる。これによって、各消火器７の消火器ホース４３が、隣合う消火器７に干渉することなく載置でき、消火器７の載置スペースの省スペース化が実現できる。
【００３３】
また、図３、７に示すように、天板部１３に設ける開口部は矩形状をしており、消火器ホース４３の位置が矩形の角部に配置されるので、デッドスペースとなる矩形の角部を有効利用でき、これによって省スペース化がより一層できる。
【００３４】
なお、転倒防止手段としては、フック３１に限られず、例えば消火器７を側壁部２９に止めるようなバンドや、消火器７を覆うようなケージのようなものであってもよい。
【００３５】
〔ガイド部〕
ガイド部３５は、図６に示すように、載置部２７における側壁部２９に対向する側面に設けられ、ガイド柱３３が挿入可能な筒体によって構成されている。ガイド部３５は、ガイド柱３３に挿入され、載置部２７が移動する際にガイド柱３３にガイドされて載置部２７が安定して上下動するのを補助する機能を有している。
【００３６】
《駆動力付与手段》
本実施の形態の駆動力付与手段２５は、下端側が、金具４４（図５参照）によって図示しない本体部１１側に固定された２本一組となったガススプリング４５と、ガススプリング４５のシリンダロッドに取り付けられて内部に小ピニオンギア（図示なし）と大ピニオンギア（図示なし）を収納したピニオンギアボックス４６と、下端が本体部１１側に固定され上端側にピニオンギアボックス内の小ピニオンギアと噛み合うラックが形成された第１ラック４７と、側壁部２９の背面側に取り付けられてピニオンギアボックス４６内の大ピニオンギア（図示なし）と噛み合う第２ラック４８によって構成されている。
【００３７】
ガススプリング４５は、ピニオンギアボックス４６を常時上方に移動させるように付勢するものである。ガススプリング４５によってピニオンギアボックス４６が上方に移動すると、第１ラック４７によって小ピニオンギアが回転し、これと同軸上に設けられた大ピニオンギアも回転し、さらに大ピニオンギアの回転が第２ラック４８に伝達されることで、消火器載置台２３が上方に移動する。
【００３８】
上記のように、本実施の形態の駆動力付与手段２５は、ピニオンギアボックス４６を移動させることで第１ラック４７によって小ピニオンギアを回転させ、この回転を大ピニオンギアを介して第２ラック４８に伝達するようにしているので、ピニオンギアボックス４６の移動距離に比較して第２ラック４８の移動距離を大きくすることができる。これによって、駆動力付与手段２５の高さをコンパクトにしつつ載置部２７の上動高さを高くできる。
なお、消火器載置台２３が消火器収納部９に設置された状態では、ラッチ３７が本体部１１の係合部３６（図２参照）に係止することで上動が規制され、ラッチ用操作レバー３９の操作によりラッチ３７が外れることで消火器載置台２３は自動的に上動する。
【００３９】
＜天板部＞
天板部１３は、本体部１１の上部を覆うように設けられ、図３に示すように、消火器収納部９の上方に開口部が設けられ、この開口部を開閉可能に覆うように消火器収納部上方蓋部材４９が設けられている。消火器収納部上方蓋部材４９は、図３に示すように、奥側から手前側に回動させて開放し、直立よりも手前側に傾斜した起立状態を維持するようになっている。
開口部は、消火器載置台２３に載置された消火器７が通過できる開口面積を有しているので、消火器収納部上方蓋部材４９を開放して消火器載置台２３を上動させることで、消火器７を天板部１３よりも上方に露出（突出）させることができる。
また、天板部１３における本体部１１のホース収納部５の上方にも、ホース収納部上方蓋部材５１が設けられ、ホース３を天板部１３側から引き出すことができるようになっている。
【００４０】
天板部１３には、本体部１１よりも外方に張出す張出し部５３が、両側辺と後辺の３辺に設けられている。
前述したように、本実施の形態の消火栓装置１は、特に設置場所が限定されるわけではないが、図１１に示したトンネル内に設けられた監視員通路８３の設置用空間８７に設置するのに好適であり、設置に際しては、張出し部５３を、図１１に示す開口縁部９１の段部に載置すれば、この状態で監視員通路８３の路面と天板部１３が面一になって、路面として供用することができる。
【００４１】
以上のように構成された本実施の形態について、消火器７の取り出し時の動作を、消火栓装置１をトンネル内に設けられた監視員通路８３の設置用空間８７に設置した場合を例に挙げて説明する。
図１に示すように、消火器収納部前面扉２１を開扉して、消火器７を前面側から取出すこともできるし、あるいは、図３に示すように、消火器収納部上方蓋部材４９を開扉して天板部１３側から取出すこともできる。
【００４２】
天板部１３側から消火器７を取り出す場合、消火器収納部上方蓋部材４９を開扉して、消火器載置台２３に設けられた持ち手２８に設置されているラッチ用操作レバー３９を握る。これによって、消火器載置台２３の上動を規制していたラッチ３７の係止が外れ、消火器載置台２３はガススプリング４５の付勢力によって自動的に上動して、例えば図３に示すように、消火器７の高さ方向の約半分が天板部１３より露出した状態で停止する。
このような状態になれば、作業者は、消火器７のレバー４１を掴んで簡単に消火器７を取り出すことができる。なお、消火器７は高さ方向の一部（例えば、レバー４１のみ）が天板部１３より上に露出すれば良く、全てが露出するまで消火器載置台２３を上動させても良い。消火器７の露出する高さが高いほど消火器７が取りやすくなる。
【００４３】
以上のように、本実施の形態の消火栓装置１によれば、消火栓装置１をトンネル内の監視員通路８３の設置用空間８７に設置したような状態においても、消火器７を天板部１３側から簡単に取り出すことができ、迅速な消火活動ができる。
【００４４】
なお、上記の実施の形態においては、消火器載置台２３を上動させる駆動力を付与する駆動力付与手段２５としてガススプリング４５を例に挙げ、ガススプリング４５の付勢力が消火器７を載置した状態で消火器載置台２３を自動的に上動させるものであった。
しかし、本発明の駆動力付与手段２５として、消火器載置台２３に上動の付勢力を与えるものを採用した場合には、必ずしも消火器載置台２３が自動的に上動する付勢力である必要はなく、作業者が持ち手２８を引き上げるのを補助することができる程度の付勢力であってもよい。このようにすれば、ラッチ３７の解除を行う上動開始手段などは不要になる。
【００４５】
また、上記の駆動力付与手段２５は、ガススプリング４５、ピニオンギアボックス４６、第１ラック４７及び第２ラック４８を用いたものであったが、図８に示す駆動力付与手段５４のように、側壁部２９の背面側に設置されたガススプリング４５のみによって構成してもよい。ガススプリング４５の下端側は、金具４４（図８参照）によって図示しない本体部１１側に固定され、ガススプリング４５の上端側が側壁部２９の上端近傍に連結されている。
【００４６】
また、駆動力付与手段としては、ガススプリング４５のように付勢力を与えるものに限定されるものではなく、例えば水圧を利用して上動力を与える水圧式のものや電動によって上動力を与える電動式ものでもよい。
以下、水圧式の駆動力付与手段５５と電動式の駆動力付与手段７２の例を説明する。
【００４７】
＜水圧式の駆動力付与手段＞
消火栓装置１には、消火用の圧力水が供給されているので、既にあるエネルギー源を利用するという点で好適である。
水圧式の駆動力付与手段５５を構成するものとしては、図９に示すように、シリンダロッド５７の上端が消火器載置台２３の側壁部２９の上端に連結され下端が本体部（図示なし）に固定された水圧シリンダ５９と、水圧シリンダ５９へ圧力水を供給するための圧力水供給管６１と、圧力水供給管６１への供給水量を調整して水圧シリンダ５９の動きを緩やかにするオリフィス６３と、オリフィス６３の上流側に設けられた３方弁６５と、３方弁６５に圧力水を供給するための供給経路に設けられた逆止弁６７と、逆止弁６７の上流側に設けられたストレーナ６９と、３方弁６５の排水経路に設けられた排水管（図示無し）を備えている。
３方弁６５は、給水経路と連通するポートＡ、オリフィス６３と連通するポートＢ及び排水経路と連通するポートＣの連通経路を、操作ハンドル７１を操作することで切り換え可能になっている。
なお、操作ハンドル７１が本発明の上動開始手段として機能する。
【００４８】
上記のように構成された水圧式の駆動力付与手段５５において、消火器載置台２３を上動させずに待機させている状態では、３方弁６５のポートＡを遮断して圧力水が水圧シリンダ５９に供給されないようにする。この状態では、シリンダロッド５７が最も縮んだ状態になっている。
【００４９】
消火器載置台２３を上動させるときには、操作ハンドル７１を操作して３方弁６５のポートＡとポートＢを連通させる。これによって、圧力水がオリフィス６３を通過して圧力水供給管６１を介して水圧シリンダ５９に供給される。圧力水が供給されると、シリンダロッド５７が伸長して消火器載置台２３が上動し、シリンダロッド５７が最伸長した状態で停止する。そして、逆止弁６７があるので、圧力水が逆流することなくその状態が維持される。
なお、圧力水として、消火用の水を利用するため、消火ポンプが起動すると圧力が急上昇するが、オリフィス６３を設けることで、消火ポンプが起動した場合であっても水圧シリンダ５９の動きを緩やかにできる。
【００５０】
消火器載置台２３を下降させるときには、操作ハンドル７１を操作して３方弁６５のポートＢとポートＣを連通させる。これによって、シリンダロッド５７に作用する消火器載置台２３の重力によってシリンダ内の圧力水がシリンダ内から排水されてシリンダロッド５７が収縮して待機状態に戻る。
【００５１】
以上のように、水圧式の駆動力付与手段５５を用いた場合でも、ガススプリング４５を利用したのと同様に消火器載置台２３の上昇を簡単に行うことができる。しかも、消火器載置台２３を一旦上昇させた後に下降させるのも操作ハンドル７１の操作のみで済むため便利である。
【００５２】
＜電動式の駆動力付与手段＞
電動式の駆動力付与手段７２を構成するものとしては、図１０に示すように、本体部１１における消火器収納部９に固定されたモータ７３を駆動源とするラック７６とピニオン（図示なし）によるリフタ機構７４が挙げられる。
リフタ機構７４は、本体部１１の例えば背面に固定されモータ７３の回転を所定の回転数にして前記ピニオンに伝達する減速ギヤボックス７５と、下端が消火器載置台２３の側壁部２９の下端部に固定され上端が側壁部２９の上端部に固定され、減速ギヤボックス７５のピニオンによって駆動されるラック７６と、上動方向への駆動させる上昇スイッチ７７と、下動方向へ駆動させるための下降スイッチ７８と、上昇状態を表示する上昇表示灯７９と、下降状態を表示する下降表示灯８０を備えている。
なお、上昇スイッチ７７が本発明の上動開始手段として機能する。
【００５３】
上記のように構成された電動式の駆動力付与手段７２においては、上昇スイッチ７７を押すことで上昇が開始する。上昇の停止については、例えば消火器載置台２３が所定の高さ位置になると動作するリミッタスイッチなどを設けておくようにしてもよく、あるいは上昇スイッチ７７を離すと停止するようにしてもよい。
【００５４】
以上のように、電動式の駆動力付与手段７２を用いた場合でも、ガススプリング４５を利用したのと同様に消火器載置台２３の上昇を簡単に行うことができる。しかも、消火器載置台２３の上昇及び下降をスイッチ操作できるため便利である。
【００５５】
上記の実施の形態では、ホース３を収納するホース収納部５を有する消火栓装置１について説明したが、監視員通路８３には消火栓装置１ではなく、消火器７のみを収容する消火器箱を設置することも考えられ、このような場合には、消火器箱にも上述した消火栓装置１の消火器収納部９の特徴を適用することができる。すなわち、消火器箱を、上述の消火栓装置１の本体部１１における消火器収納部９と同様に、上面が開口した箱形状の本体部と、該本体部の上面開口を覆う天板部とで構成し、前記天板部は、前記監視員通路８３の路面として供用されると共に開閉可能な蓋部材になっているようにすればよい。
そして、本体部には消火栓装置１で示したのと同様の消火器載置台と、駆動力付与手段とを備えるようにすればよい。
消火器７を前面から取り出す構成、すなわち消火器収納部前面扉２１は必須ではなく、上面から取り出す構成を備えていればよい。この場合、道路側から消火器７を取り出す場合にも、消火器収納部上方蓋部材４９より行うため、消火器７を取り出す際には、消火器載置台２３は、消火器７の半分以上が露出する位置まで上昇するように設定したほうが、消火器７をより取り出しやすくすることができる。
【００５６】
また、上記実施の形態では消火器載置台２３がガススプリング４５の付勢力によって自動的に上動する消火栓装置１について説明したが、ホース収納部３のうち、消火ノズル１５及びは図示しない消火栓弁を開放するために操作する操作レバーをユニット化し、ガススプリング等の付勢力により上動させる構成にしても良い。ホース収納部上方蓋部材５１を開放すると、消火ノズル１５及び／又は操作レバーが上動すれば良く、上動の機構は上記実施の形態の消火器載置台２３の上動機構と同様にすれば良い。上動機構としては、その他にホース収納部上方蓋部材５１とワイヤーで繋がれ、ホース収納部上方蓋部材５１の開放動作に合わせて消火ノズル１５及び／又は操作レバーも上動しても良い。
なお、消火ノズル１５と操作レバーは、ユニット化せずに、それぞれが上動する構成としても良いし、いずれか一方のみが上動する構成としても良い。
【符号の説明】
【００５７】
１  消火栓装置
３  ホース
５  ホース収納部
７  消火器
９  消火器収納部
１１  本体部
１３  天板部
１５  消火ノズル
１７  ノズルホルダ
１８  前面パネル
１９  前面扉
２１  消火器収納部前面扉
２３  消火器載置台
２５  駆動力付与手段
２７  載置部
２８  持ち手
２９  側壁部
３０  係止部
３１  フック
３３  ガイド柱
３５  ガイド部
３６  係合部
３７  ラッチ
３９  ラッチ用操作レバー
４１  レバー
４３  消火器ホース
４４  金具
４５  ガススプリング
４６  ピニオンギアボックス
４７  第１ラック
４８  第２ラック
４９  消火器収納部上方蓋部材
５１  ホース収納部上方蓋部材
５３  張出し部
５４  駆動力付与手段
５５  水圧式の駆動力付与手段
５７  シリンダロッド
５９  水圧シリンダ
６１  圧力水供給管
６３  オリフィス
６５  ３方弁
６７  逆止弁
６９  ストレーナ
７１  操作ハンドル
７２  電動式の駆動力付与手段
７３  モータ
７４  リフタ機構
７５  減速ギヤボックス
７６  ラック
７７  上昇スイッチ
７８  下降スイッチ
７９  上昇表示灯
８０  下降表示灯
＜監視員通路＞
８１  トンネル壁面
８３  監視員通路
８５  車道
８７  設置用空間
８９  前壁
９１  開口縁部
【図１】
2018126239.tif 000003
【図２】
2018126239.tif 000004
【図３】
2018126239.tif 000005
【図４】
2018126239.tif 000006
【図５】
2018126239.tif 000007
【図６】
2018126239.tif 000008
【図７】
2018126239.tif 000009
【図８】
2018126239.tif 000010
【図９】
2018126239.tif 000011
【図１０】
2018126239.tif 000012
【図１１】
2018126239.tif 000013